(57)【特許請求の範囲】
【請求項１】
複数の吸収冷温水機と、温排熱供給熱源と、該温排熱供給熱源から各吸収冷温水機へ温排水を供給するための排熱ラインと、制御手段とを備え、前記排熱ラインは各吸収冷温水機へそれぞれ連通する様に分岐しており、各分岐ラインには開閉手段が介装されており、前記制御手段は、停止している吸収冷温水機に連通する分岐ラインに介装された開閉手段を閉鎖して、稼動中の吸収冷温水機に連通する分岐ラインに介装された開閉手段を開放する制御を行うように構成されていることを特徴とする空調装置。
【請求項２】
前記制御手段は、稼動中の吸収冷温水機に連通する分岐ラインを流れる温排水流量が当該排熱ラインの最大流量を超えない様に制御するべく構成されている請求項１の空調装置。
【請求項３】
前記制御手段は各吸収冷温水機のそれぞれの伝熱特性と、循環する温排水の各分岐ラインへの供給流量の比率を最適にする組み合わせマップの各特性データを記憶する記憶手段と、その特性データに基いて稼動中の吸収冷温水機に連通する分岐ラインを流過する温排水供給流量の比率を決定する温排水流量比決定手段とを有している請求項１、２の何れかの空調装置。
【請求項４】
前記制御手段は、稼動中の吸収冷温水機に対応した流量の温排水のみを前記排熱ラインに流過せしめるべく、前記排熱ラインに介装された温排水循環用手段を制御する様に構成されている請求項１〜３の何れか１項の空調装置。
【請求項５】
温排水の吸収冷温水機入口温度を計測する温度計測手段を有し、前記制御手段は、前記温度計測手段で計測された温排水温度に応答して、前記排熱ラインに介装された温排水循環用手段を制御する様に構成されている請求項１〜４の何れか１項の空調装置。
【請求項６】
温排熱供給熱源の負荷を計測する負荷計測手段を有し、前記制御手段は、前記負荷計測手段で計測された負荷に応答して、前記排熱ラインに介装された温排水循環用手段を制御する様に構成されている請求項１〜４の何れか１項の空調装置。
【請求項７】
複数の吸収冷温水機と、温排熱供給熱源と、該温排熱供給熱源から各吸収冷温水機へ温排水を供給するための排熱ラインとを有する空調装置の制御方法において、吸収冷温水機が停止中であるか稼動中であるかを検出する工程と、停止している吸収冷温水機に連通する分岐ラインに介装された開閉手段を閉鎖し、且つ、稼動中の吸収冷温水機に連通する分岐ラインに介装された開閉手段を開放する工程、とを有していることを特徴とする空調装置の制御方法。
【請求項８】
開閉手段を閉鎖し或いは開放する前記工程では、稼動中の吸収冷温水機に連通する分岐ラインを流れる温排水流量が当該排熱ラインの最大流量を超えない様に各分岐ラインに介装された開閉弁の開度制御を行う様に構成されている請求項７の空調装置の制御方法。
【請求項９】
記憶手段に記憶された各吸収冷温水機のそれぞれの伝熱特性と、循環する温排水の各分岐ラインへの供給流量の比率を最適にする組み合わせマップの各特性データに基いて、温排水流量比決定手段により、稼動中の吸収冷温水機に連通する分岐ラインを流過する温排水供給流量の比率を決定する工程を有している請求項７、８の何れかの空調装置の制御方法。
【請求項１０】
排熱ラインに介装された温排水循環用手段を制御して、稼動中の吸収冷温水機に対応した流量の温排水のみを前記排熱ラインに流過する様に構成されている請求項７〜９の何れか１項の空調装置の制御方法。
【請求項１１】
温度計測手段により温排水の吸収冷温水機入口温度を計測する工程と、前記工程で計測された温排水の吸収冷温水機入口温度に応答して、前記排熱ラインに介装された温排水循環用手段を制御して、排熱ラインの温排水流量を制御する工程、とを有する請求項７〜１０の何れか１項の空調装置の制御方法。
【請求項１２】
負荷計測手段により温排熱供給熱源の負荷を計測する工程と、前記工程で計測された温排熱供給熱源の負荷に応答して、温排水循環用手段を制御して、前記排熱ラインを循環する温排水流量を制御する工程、とを有する請求項７〜１０の何れか１項の空調装置の制御方法。
【発明の詳細な説明】
【０００１】
【発明の属する技術分野】
本発明は、空調装置に関し、より詳細には、外部から供給された温排水を利用して、吸収溶液の液温を上昇し或いは冷媒の再生を行うタイプの空調装置に関する。
【０００２】
【従来の技術】
図１１に従来の構成を示す。
複数の吸収冷温水機Ｒ１、Ｒ２、・・・が並列に稼動するよう配置され、それぞれの吸収冷温水機Ｒ１、Ｒ２、・・・に１台のガスエンジン１０が温排水を供給するよう配管されている。
温排水配管Ｌ１０は、ガスエンジン１０の温排水吐出口１０ｏから温排水吸入口１０ｉに循環するよう連通していて、領域１０ｆが吐出口１０ｏから節部２０ｍまでの往路を、領域２０ｒが節部２０ｎから吸入口１０ｉ間での復路を形成している。
領域１０ｆと領域２０ｒを、複数の分岐ラインＬ１〜Ｌ５が並列に連通していて、分岐ラインＬ１〜Ｌ５はそれぞれの固有な分岐部Ｂ１〜合流部Ｇ１、分岐部Ｂ２〜合流部Ｇ２、のように連通されている。
分岐ラインＬ１は、ラインＬ１ａが吸収冷温水機Ｒ１を介装し、分岐部ｂ１と合流部に設けた３方弁３Ｖ１間で吸収冷温水機Ｒ１をバイパスするバイパスラインＬ１ｂが形成されるよう構成されている。
３方弁３Ｖ１は、温排水温度が吸収冷温水機Ｒ１に供熱する温度条件であれば、ラインＬ１ａを開通してバイパスラインＬ１ｂを閉鎖するように設けられている。温排水温度が低くて供熱条件にない場合には、ラインＬ１ａを閉鎖して温排水をバイパスラインＬ１ｂに流して吸入口１０ｉに戻すようにしている。
他の分岐ラインＬ２〜Ｌ５についても、上記分岐ラインＬ１と同様である。
このような配管構成では、停止している吸収冷温水機に連通している分岐ラインを流れる温排水の熱量は、何ら利用されることがなく、冷却塔で放熱されてしまうという欠点があった。
【０００３】
【発明が解決しようとする課題】
本発明は上述した従来技術の問題点に鑑みて提案されたものであり、停止した空調装置に連通している分岐ラインを流れる温排水の熱量の無駄を解消することが出来る様な空調装置及び制御方法の提供を目的としている。
【０００４】
【課題を解決するための手段】
本発明の空調装置は、複数の吸収冷温水機（Ｒ１、Ｒ２、・・・Ｒ５）と、温排熱供給熱源（１０）（例えば、ガスエンジン、燃料電池、各種コージェネレーションシステム等）と、該温排熱供給熱源（１０）から各吸収冷温水機へ温排水を供給するための排熱ライン（２０）と、制御手段（４０）とを備え、前記排熱ライン（２０）は各吸収冷温水機（Ｒ１、Ｒ２、・・・Ｒ５）へそれぞれ連通する様に分岐（Ｂ１、Ｂ２、・・）しており、各分岐ライン（２１、２２、・・）には開閉手段（開閉弁Ｖ１、Ｖ２、・・・）が介装されており、前記制御手段は、停止している吸収冷温水機に連通する分岐ラインに介装された開閉手段を閉鎖して、稼動中の吸収冷温水機に連通する分岐ラインに介装された開閉手段を開放する制御を行うように構成されている（請求項１：図１、図２）。
ここで、前記制御手段は、稼動中の吸収冷温水機に連通する分岐ラインを流れる温排水流量が当該排熱ラインの最大流量を超えない様に制御するべく構成されているのが好ましい（請求項２：図１、図２）。
【０００５】
また、本発明の空調装置の制御方法は、複数の吸収冷温水機（Ｒ１、Ｒ２、・・・Ｒ５）と、温排熱供給熱源（例えば、ガスエンジン、燃料電池、各種コージェネレーションシステム等）と、該温排熱供給熱源から各吸収冷温水機へ温排水を供給するための排熱ラインとを有する空調装置の制御方法において、吸収冷温水機が停止中であるか稼動中であるかを検出する工程と、停止している吸収冷温水機に連通する分岐ラインに介装された開閉手段を閉鎖し、且つ、稼動中の吸収冷温水機に連通する分岐ラインに介装された開閉手段を開放する工程、とを有している（請求項７：図１、図２）。
ここで、開閉手段を閉鎖し或いは開放する前記工程では、稼動中の吸収冷温水機に連通する分岐ラインを流れる温排水流量が当該排熱ラインの最大流量を超えない様に各分岐ラインに介装された開閉弁の開度制御を行う様に構成されているのが好ましい（請求項８：図１、図２）。
【０００６】
上述した構成を具備する本発明によれば、停止している吸収冷温水機については温排熱（温排水）の供給をカットし、供給カットされた分の温排水を、稼動中の吸収冷温水機と連通している分岐ラインに回してやることにより、稼動中の吸収冷温水機については温排熱供給量が増加する。そのため、稼動中の吸収冷温水機については、（温排熱供給量を増加した分だけ、）燃料消費量を減少できる。
ここで、各分岐ライン毎の温排水最大流量は仕様によって定められている。
最大流量を超えてしまう場合には、停止中の吸収冷温水機に連通する分岐ラインに温排熱を回して、吸収冷温水機をバイパスするラインに流過せしめるのである。
なお、吸収冷温水機の停止または稼動中の判断は、例えば、ポンプ等の補機動力の有無を検出することで可能である。
【０００７】
本発明の空調装置において、前記制御手段は各吸収冷温水機のそれぞれの伝熱特性と、循環する温排水の各分岐ラインへの供給流量の比率を最適にする組み合わせマップの各特性データを記憶する記憶手段と、その特性データに基いて稼動中の吸収冷温水機に連通する分岐ラインを流過する温排水供給流量の比率を決定する温排水流量比決定手段とを有しているのが好ましい（請求項３：図３、図４）。
【０００８】
また、本発明の空調装置の制御方法において、記憶手段に記憶された各吸収冷温水機のそれぞれの伝熱特性と、循環する温排水の各分岐ラインへの供給流量の比率を最適にする組み合わせマップの各特性データに基いて、温排水流量比決定手段により、稼動中の吸収冷温水機に連通する分岐ラインを流過する温排水供給流量の比率を決定する工程を有しているのが好ましい（請求項９：図３、図４）。
【０００９】
ここで、各吸収冷温水機の負荷及び伝熱特性は均一ではなく、特に温排水からの入力熱量に対する受熱量は、線形特性も非線形特性もあって、止まっている吸収冷温水機から回ってきた流量の分配（比）を全体が最適となる様に調節してやれば、温排熱が最も有効に利用されることとなる。
例えば、温排水から熱の吸収が良好な吸収冷温水機には温排水流量を多く分配し、熱の吸収が良好ではない吸収冷温水機への分配比を少なくすれば、排熱の利用効率が向上する。
【００１０】
或いは本発明の空調装置において、前記制御手段は、稼動中の吸収冷温水機に対応した（稼動中の吸収冷温水機台数に比例した）流量の温排水のみを前記排熱ライン（分岐ラインをも含む循環系全体）に流過せしめるべく、前記排熱ラインに介装された温排水循環用手段（例えばポンプ）を制御する様に構成されているのが好ましい（請求項４：図５、図６）。
【００１１】
そして本発明の空調装置の制御方法において、排熱ラインに介装された温排水循環用手段（例えばポンプ）を制御して、稼動中の吸収冷温水機に対応した（稼動中の吸収冷温水機台数に比例した）流量の温排水のみを前記排熱ライン（分岐ラインをも含む循環系全体）に流過する様に構成されているのが好ましい（請求項１０：図５、図６）。
【００１２】
この場合、吸収冷温水機を１台のみ具備している場合についても、基本的な制御方法の適用が可能である。
【００１３】
また、１部の吸収冷温水機が（例えば５台の吸収冷温水機における２台の吸収冷温水機）が止まったならば、稼動中の吸収冷温水機に対応する（稼動中の吸収冷温水機台数に比例する）流量まで温水流量を減少し（温水流量を３／５にして）、ボンプ（排熱ラインに介装された温排水循環用手段）の消費電力を節約できる。
ここで、最低流量を設定して、流量低下に伴い予想される不都合、例えば、複数の分岐ラインに対して均等な配分が出来なくなること、温排熱供給熱源（例えば、ガスエンジン）のオーバーヒート等、を未然に防止することが好ましい（図６）。
【００１４】
さらに本発明の空調装置において、温排水の吸収冷温水機入口温度（例えば、ガスエンジンの温排水出口と分岐点との間の領域における温排水温度）を計測する温度計測手段（例えば、ガスエンジンの温排水出口と分岐点との間の領域に介装された温度センサ）を有し、前記制御手段は、前記温度計測手段で計測された温排水温度に応答して、前記排熱ライン（分岐ラインをも含む循環系全体）に介装された温排水循環用手段（例えばポンプ）を制御する様に構成されているのが好ましい（請求項５：図７）。
【００１５】
一方、本発明の空調装置の制御方法において、温度計測手段（例えば、ガスエンジンの温排水出口と分岐点との間の領域に介装された温度センサ）により温排水の吸収冷温水機入口温度（例えば、ガスエンジンの温排水出口と分岐点との間の領域における温排水温度）を計測する工程と、前記工程で計測された温排水の吸収冷温水機入口温度に応答して、前記排熱ライン（分岐ラインをも含む循環系全体）に介装された温排水循環用手段（例えばポンプ）を制御して、排熱ラインの温排水流量を制御する工程、とを有するのが好ましい（請求項１１：図７）。
【００１６】
この場合においても、吸収冷温水機を１台のみ具備している場合についても、適用が可能である。
【００１７】
また、温排水温度が上昇（低下）したら、温水流量を増加（減少）させることで、吸収冷温水機に供給される温排水温度を一定温度に制御して、当該空調装置の運転を一定に維持することができる。
【００１８】
これに加えて本発明の空調装置において、温排熱供給熱源（例えば、ガスエンジン）の負荷を計測する負荷計測手段を有し、前記制御手段は、前記負荷計測手段で計測された負荷に応答して、前記排熱ライン（分岐ラインをも含む循環系全体）に介装された温排水循環用手段（例えばポンプ）を制御する様に構成されているのが好ましい（請求項６：図９）。
【００１９】
一方、本発明の空調装置の制御方法において、負荷計測手段により温排熱供給熱源（例えば、ガスエンジン）の負荷を計測する工程と、前記工程で計測された温排熱供給熱源の負荷に応答して、温排水循環用手段（例えばポンプ）を制御して、前記排熱ライン（分岐ラインをも含む循環系全体）を循環する温排水流量を制御する工程、とを有するのが好ましい（請求項１２：図８）。
【００２０】
この場合も、吸収冷温水機を１台のみ具備している場合についても、適用が可能である。
【００２１】
温排熱供給熱源負荷が増加（低下）したら、温水流量を増加（減少）して、排熱ラインを循環する排熱ラインの温排水温度を調整できる。
これにより、吸収冷温水機に供給される温排水温度を一定に制御して、当該空調装置の運転を一定に維持できる。
【００２２】
【発明の実施の形態】
図１及び図２を参照して、本発明の第１実施形態を説明する。図１１で示した従来の空調装置と同じ形態の手段、装置は、同名称、同符号を使用して説明する。
図１に示す空調装置は、熱を授受して熱効率の向上を図る複数の吸収冷温水機Ｒ１、Ｒ２、・・・と、温排水によって熱量を供給する温排熱供給熱源のガスエンジン１０と、熱量を搬送する排熱ライン２０と、運転条件に応じて吸収冷温水機Ｒ１、Ｒ２、・・・への温排水流量を制御する制御手段の制御装置４０とで主要部が構成されている。
【００２３】
ガスエンジン１０に、温排水吐出口１０ｏと温排水吸入口１０ｉが設けられ、吐出口１０ｏと吸入口１０ｉとが排熱ライン２０によって循環して連通されている。
排熱ライン２０は、吐出口１０ｏと節部２０ｍを介して節部２０ｎに至る往路の領域１０ｆと、節部２０ｎから吸入口１０ｉにいたる復路の領域２０ｒとで構成され、領域２０ｆと領域２０ｒとを、複数の分岐ライン２１〜２５で並列に連通して構成されている。領域２０ｒのエンジン１０近傍に介装された符号Ｐ１０は、温排水循環用手段のポンプである。
温排水循環用のポンプＰ１０の上流側（領域２０ｒ側）には、冷却塔ＣＴが介装されている。冷却塔ＣＴは、ガスエンジン１０に流入する温排水温度が設定された温度以上となったときに作動して、温排水が保有する熱量を放散或いは放熱する。但し、温排水温度が設定温度未満の場合には、冷却塔ＣＴは作動しない。
【００２４】
分岐ライン２１は、領域２０ｆと領域２０ｎのガスエンジン１０に最も近い分岐部Ｂ１と合流部Ｇ１に連通していて、分岐ライン２１に設けられた分岐部ｂ１と、合流部となる３方弁３Ｖ１を連通する領域ラインＬ１ａに、吸収冷温水機Ｒ１が介装されている。
分岐部ｂ１と３方弁３Ｖ１とは、吸収冷温水機Ｒ１をバイパスするバイパスラインＬ１ｂでも連通されている。
【００２５】
３方弁３Ｖ１は、ラインＬ１ａとバイパスラインＬ１ｂを流れる温排水の流量比を調整する機能を有して設けられている。
分岐ライン２１の分岐部Ｂ１と分岐部ｂ１との間に、開閉手段の開閉弁Ｖ１が介装されており、開閉弁Ｖ１は信号線Ｌｖ１によって制御装置４０に連通されている。
【００２６】
吸収冷温水機Ｒ１に、吸収冷温水機Ｒ１が稼動中か停止中か（換言すれば、吸収冷温水機Ｒ１を具備する図示しない吸収冷温水機が稼動中であるか停止中であるか：以下、同様）を判別するセンサｍ１が設けられ、信号線Ｌｍ１によって制御装置４０に連通されている。センサｍ１は、例えば、ポンプの作動回転を検出する回転センサまたは作動流体の作動圧を検出する圧力センサ等であってもよい。
【００２７】
節部２０ｍと節部２０ｎとは、領域ライン２５が分岐ライン２１と同様に形成されていて、センサｍ５付き吸収冷温水機Ｒ５の介装、３方弁３Ｖ５や開閉弁Ｖ５の配置等は、分岐ライン２１と同様である。
分岐ライン２１とライン２５の間に設けられた分岐ライン２２〜２４の配置、構成は、分岐ライン２１と実質的に同じである。
【００２８】
制御装置４０は、センサｍ１、ｍ２、・・・による各吸収冷温水機Ｒ１〜Ｒ４のそれぞれの稼動、停止を確認し、停止中の吸収冷温水機に通じる分岐ラインへの温排水の供給を他の稼動中の吸収冷温水機に配分するよう制御する機能を有して構成されている。また、稼動中の吸収冷温水機への熱温水の追加配分が、その分岐ラインまたは吸収冷温水機の許容最大流量を越える場合には、超過分を停止中の吸収冷温水機に通じる分岐ラインに流して逃げるよう制御する機能を有している。
【００２９】
上記構成の空調装置の作用を、図２に示すフローチャートによって説明する。ステップＳ１では、作動確認センサｍ１、ｍ２、・・・（以降、ｍでセンサを総称する。）の出力を検出し、これにより、吸収冷温水機Ｒ１、Ｒ２、・・・の作動状態（稼動中か停止中か）の確認をする。
このステップＳ１が、吸収冷温水機が停止中であるか稼動中であるかを検出する工程である。
【００３０】
ステップＳ２では、センサｍがＯＦＦ、即ち停止中の吸収冷温水機とその分岐ラインを特定する。
ステップＳ３では、センサｍの中で停止中のセンサ（即ち停止中の吸収冷温水機）に通じる分岐ラインへの温排水を、稼動中の分岐ラインのみに供給しても許容の最大流量を越えないかを確認する。最大流量を越えない安全な場合はステップＳ４に、越える場合はステップＳ５に進む。
ステップＳ５では、センサｍがＯＮの吸収冷温水機に連通する分岐ラインの開閉弁Ｖ（Ｖ１、Ｖ２、・・・の特定弁）を全開する。そして、全開した開閉弁を流通する温排水の量が最大流量を越える過剰分を停止中の吸収冷温水機に通じる分岐ラインに流すように、その分岐ラインの開閉弁開度を決定し調整する。そして、制御を終了する。
ステップＳ４では、センサｍがＯＦＦ即ち、停止中の吸収冷温水機に通じる分岐ラインの開閉弁を閉鎖し、稼動中の吸収冷温水機に通じる開閉弁を開弁させる。そして、制御を終了する。
ステップＳ４及びステップＳ５が、停止している吸収冷温水機に連通する分岐ラインに介装された開閉手段を閉鎖し、且つ、稼動中の吸収冷温水機に連通する分岐ラインに介装された開閉手段を開放する工程である。
【００３１】
上記のようにして、停止中の吸収冷温水機への温排水供給を、稼動中の吸収冷温水機に振り向けることで、稼動中の吸収冷温水機の熱効率を向上せしめるとともに、空調装置全体の熱効率の向上をはかっている。
【００３２】
図３及び図４を参照して、本発明の第２実施形態を説明する。図１及び図２で示した使用したものと同じ形態の手段、装置は、同名称、同符号を使用して、第１実施形態と異なる部分を主体に説明する。
【００３３】
構成を示す図３において、熱を授受して熱効率の向上を図る複数の吸収冷温水機Ｒ１、Ｒ２、・・・と、温排水によって熱量を供給する温排熱供給熱源のガスエンジン１０と、熱量を搬送する排熱ライン２０と、運転条件に応じて吸収冷温水機Ｒ１、Ｒ２、・・・への温排水流量を制御する制御手段の制御装置４０Ａと、吸収冷温水機Ｒ１、Ｒ２、・・・の特性を記憶する記憶手段の記憶装置４５、とで主要部が構成されている。
【００３４】
ガスエンジン１０、排熱ライン２０、排熱ライン２０に設けられた分岐ライン２１〜２５、吸収冷温水機Ｒ１、Ｒ２、・・・、の各装置の形態は、図１の第１実施形態と同じである。
分岐ライン２１〜２５に設けられた開閉手段の開閉弁Ｖ１、Ｖ２、・・・及び３方弁３Ｖ１、３Ｖ２、・・・及び吸収冷温水機Ｒ１、Ｒ２・・・に設けられたセンサｍ１、ｍ２、・・・についても、図１の第１実施形態と同様である。
【００３５】
制御装置４０Ａは、信号線Ｌ４５によって記憶装置４５に連通され、センサｍ１、ｍ２、・・・による各吸収冷温水機Ｒ１、Ｒ２、・・・のそれぞれの稼動、停止を確認し、停止中の吸収冷温水機に通じる分岐ラインへの温排水の供給を他の稼動中の吸収冷温水機に配分するよう制御する機能を有して構成されている。また、稼動中の吸収冷温水機への熱温水の追加配分が、熱の授与が最良となるような配分としかつ、追加配分される各分岐ラインまたは吸収冷温水機の許容の最大流量を越えないよう制御する機能を有している。
【００３６】
記憶装置４５は、各吸収冷温水機Ｒ１、Ｒ２、・・・のそれぞれの伝熱特性と、循環する温排水の各分岐ラインへの供給流量の比率を最適にする組み合わせマップ等の各特性データを記憶し、制御装置４０Ａのアクセスに応じる機能を有し て構成 されている。
【００３７】
上記以外の構成は、実質的に図１と同様である。
【００３８】
上記構成の空調装置の作用を、図４に示すフローチャートによって説明する。ステップＳ１１では、作動確認センサｍ１、ｍ２、・・・（以降、ｍでセンサを総称する。）の出力を検出し。これにより、吸収冷温水機Ｒ１、Ｒ２、・・・の稼動確認をする。
このステップＳ１１が、吸収冷温水機が停止中であるか稼動中であるかを検出する工程である。
【００３９】
ステップＳ１２では、センサｍがＯＦＦ、即ち停止中の吸収冷温水機とその分岐ラインを特定する。
ステップＳ１３では、停止中の吸収冷温水機に通じる分岐ラインへの温排水を含む系全体を循環する温排水流量を、その時点で稼動中の分岐ラインのみに供給しても稼動中の許容最大流量の合計を越えないかを確認する。最大流量を越えない余裕のある場合はステップＳ１４に、越える場合はステップＳ１５に進む。
ステップＳ１５では、センサｍがＯＮの吸収冷温水機に連通する開閉弁Ｖ（Ｖ１、Ｖ２、・・・の特定弁）を全開する。そして、全開した開閉弁を流通する温排水の量が最大流量を越える過剰分だけ停止中の吸収冷温水機に通じる分岐ラインに流すように、その分岐ラインの開閉弁開度を決定し調整する。そして、制御を終了する。
【００４０】
ステップＳ１４では、センサｍがＯＮ即ち、稼動中の吸収冷温水機への流量比率を記憶装置４５のマップにもとづいて決定する。このステップＳ１４が稼動中の吸収冷温水機に連通する分岐ラインを流過する温排水供給流量の比率を決定する工程である。ついで、ステップＳ１６に進む。
ステップＳ１６では、ステップＳ１４によって決定された各吸収冷温水機への温排水流量が、それぞれの吸収冷温水機の許容の最大流量を越える分岐ラインがあるかを確認する。ＮＯであればステップＳ１７に、ＹＥＳの許容の最大流量を越えるラインがあればステップＳ１８に進む。
ステップＳ１７では、ステップＳ１４で決定した流量比にもとづいて、稼動中の吸収冷温水機に通じる分岐ラインに温排水を流す。
【００４１】
ステップＳ１８では、最大流量を越えた分の温排水を他の稼動中の吸収冷温水機に通じる分岐ラインライン振り分ける。ついで、ステップＳ１９に進む。
ステップＳ１９では、上記の振り分けた流量が最大流量を越えるものがあるかを確認する。ＹＥＳであれば、ステップＳ１８に戻って再度の振り分けをする。ＮＯであれば、ステップＳ２０に進む。
ステップＳ２０では、ステップＳ１７の分配流量比率で温排水を流す。
ステップＳ１３〜ステップＳ２０が、記憶手段に記憶された各吸収冷温水機の特性に基いて、温排水流量比決定手段により、稼動中の吸収冷温水機に連通する分岐ラインを流過する温排水供給流量の比率を決定する工程である。
上記のようにして、停止中の吸収冷温水機への温排水供給を、稼動中の吸収冷温水機に予め記憶させたマップにもとづいた流量比によって振り向けることで、系全体の熱効率の向をはかっている。
【００４２】
図５及び図６を参照して、本発明の第３実施形態を説明する。図１及び図２で示した使用したものと同じ形態の手段、装置は、同名称、同符号を使用して、第１実施形態と異なる部分を主体に説明する。
【００４３】
構成を示す図５において、熱を授受して熱効率の向上を図る複数の吸収冷温水機Ｒ１、Ｒ２、・・・と、温排水によって熱量を供給する温排熱供給熱源のガスエンジン１０と、熱量を搬送する排熱ライン２０と、排熱ライン２０に介装された温排水循環手段のポンプＰ１０と、運転条件に応じて吸収冷温水機Ｒ１、Ｒ２、・・・への温排水流量を制御する制御手段の制御装置４０Ｂと、で主要部が構成されている。
【００４４】
ガスエンジン１０、排熱ライン２０、排熱ライン２０に設けられた分岐ライン２１〜２５、吸収冷温水機Ｒ１、Ｒ２、・・・、の各装置の形態は、図１の第１実施形態と同じである。
【００４５】
ポンプ１０は、排熱ライン２０の吸入口１０ｉの近傍に介装され、信号線ＬＰによって制御装置４０Ｂに連通されている。
分岐ライン２１〜２５に設けられた開閉手段の開閉弁Ｖ１、Ｖ２、・・・及び３方弁３Ｖ１、３Ｖ２、・・・及び吸収冷温水機Ｒ１、Ｒ２・・・に設けられたセンサｍ１、ｍ２、・・・は、図１の第１実施形態と同様である。
【００４６】
制御装置４０Ｂは、信号線ＬＰによって温排水循環用手段のポンプＰ１０に連通し、センサｍ１、ｍ２、・・・による各吸収冷温水機Ｒ１〜Ｒ４のそれぞれの稼動、停止を確認し、稼動中の吸収冷温水機への温排水の必要供給量を演算し、ポンプＰ１０による系全体の循環温排水流量を制御する機能を有して構成されている。また、稼動中の必要供給量が、系としての必要最低流量を下回らないように制御する機能を有している。
【００４７】
上記以外の構成は、実質的に図１と同様である。
【００４８】
上記構成の空調装置の作用を、図６に示すフローチャートによって説明する。
ステップＳ２１では、作動確認センサｍ１、ｍ２、・・・（以降、ｍでセンサを総称する。）の出力を検出し、これにより、吸収冷温水機Ｒ１、Ｒ２、・・・の稼動確認をする。
このステップＳ２１が、吸収冷温水機が停止中であるか稼動中であるかを検出する工程である。
【００４９】
ステップＳ２２では、センサｍがＯＮ、即ち稼動中の吸収冷温水機とその分岐ラインを特定する。
ステップＳ２３では、稼動中の各吸収冷温水機に通じる分岐ラインへの温排水の定格流量を合計する総温排水流量を演算する。
ステップＳ２４では、ポンプＰ１０による吐出口１０ｏからの吐出流量が、前温排水流量に対応しているかを確認する。ＹＥＳであれば制御を終了し、ＮＯであればステップＳ２５に進む。
【００５０】
ステップＳ２５では、ポンプＰ１０による吐出流量を調整する。
ステップＳ２６では、調整した吐出流量が、稼動中の吸収冷温水機のそれぞれへの最低流量を保証しているかを確認する。ＮＯの流量不足であればステップＳ２７に進み、ＹＥＳであればステップＳ２８に進む。
ステップＳ２７では、ポンプＰ１０による吐出流量を増加し、ステップＳ２６に戻して最低流量の保証をするようループさせる。
【００５１】
ステップＳ２８では、上記までのステップで決定した循環総流量が、エンジン１０の冷熱系として必要な循環水量に不足しないかを確認する。不足しないのＹＥＳであれば制御を完了し、ＮＯの不足であれば、ステップＳ２９に進む。
ステップＳ２９では、ポンプＰ１０による吐出流量を増加し、ステップＳ２８に戻して、エンジン１０がオーバーヒートしない設定範囲になるようにさせる。
【００５２】
なお、停止中の吸収冷温水機への開閉弁Ｖ１の開閉度の操作、バイパスラインＬ１ａ等への流量調整操作の要領は、第１実施形態と実質的に同様である。
【００５３】
上記は、吸収冷温水機が複数の場合であるが、吸収冷温水機が１台の場合についても、温排水流量を調整制御する要領は、実質的に同じである。
このようにして、稼動中の吸収冷温水機に必要な流量に限定し、かつ、エンジン１０の設定の循環流量を充足する最低の循環温排水流量となるようにして、不要な消費電力等の動力を使用しないよう制御する。
【００５４】
図７及び図８を参照して、本発明の第４実施形態を説明する。
図１及び図２で示した使用したものと同じ形態の手段、装置は、同名称、同符号を使用して、第１実施形態と異なる部分を主体に説明する。
【００５５】
構成を示す図７において、熱を授受して熱効率の向上を図る複数の吸収冷温水機Ｒ１、Ｒ２、・・・と、温排水によって熱量を供給する温排熱供給熱源のガスエンジン１０と、熱量を搬送する排熱ライン２０と、排熱ライン２０に装着された温度計測手段の温度センサＴｍと、排熱ライン２０に介装された温排水循環手段のポンプＰ１０と、運転条件に応じて吸収冷温水機Ｒ１、Ｒ２、・・・への温排水流量を制御する制御手段の制御装置４０Ｃと、で主要部が構成されている。
【００５６】
ガスエンジン１０、排熱ライン２０、排熱ライン２０に設けられた分岐ライン２１〜２５、吸収冷温水機Ｒ１、Ｒ２、・・・、の各装置の形態は、図１の第１実施形態と同じである。
【００５７】
ポンプ１０は、排熱ライン２０の吸入口１０ｉの近傍に介装され、信号線ＬＰによって制御装置４０Ｃに連通されている。
温度センサＴｍは、排熱ライン２０の吐出口１０ｏと分岐部Ｂ１との間に装着されて、流過する温排水の温度を検出する機能を有し、信号線ＬＴｍによって制御装置４０Ｃに連通されている。
分岐ライン２１〜２５に設けられた開閉手段の開閉弁Ｖ１、Ｖ２、・・・及び３方弁３Ｖ１、３Ｖ２、・・・及び吸収冷温水機Ｒ１、Ｒ２・・・に設けられたセンサｍ１、ｍ２、・・・は、図１の第１実施形態と同様である。
【００５８】
制御装置４０Ｃは、信号線Ｌ８０によって温排水循環用手段のポンプＰ１０に連通し、温度センサＴｍによる温排水温度に応じて温排水流量を増減調整して吸収冷温水機に供給する温排水温度をあらかじめ設定された温度にするように、排水流量を制御する機能を有して構成されている。また、エンジン１０の吸入口１０ｉにおける吸入温排水温度が、オーバーヒートを避ける設定温度となるように制御する機能を有している。
【００５９】
上記以外の構成は、実質的に図１と同様である。
【００６０】
上記構成の空調装置の作用を、図８に示すフローチャートによって説明する。ステップＳ３１では、温度センサＴｍにより吸収冷温水機Ｒ１、Ｒ２、・・・（以降、Ｒで総称する。）への温排水温度を検出する。即ち、吸収冷温水機Ｒへの温排水温度を検出する。このステップＳ３１が、温排水の吸収冷温水機入口温度を計測する工程である。
ステップＳ３２では、この温排水温度が、吸収冷温水機Ｒへの入力温度としてあらかじめ設定されている許容設定温度かを確認する。ＹＥＳの設定温度であれば制御は終了で、運転を継続する。ＮＯで、設定温度から乖離していれば、ステップＳ３３に進む。
【００６１】
ステップＳ３３では、温排水温度が設定温度以上か、以下かを判定する。設定温度以上の高温であれば、ステップＳ３４に進み、設定温度以下の低温であれば、ステップＳ３５に進む。
ステップＳ３４では、温排水流量を増量して温度稀釈させ、設定温度まで温排水温度を低下させる。そして、制御を完了させる。
ステップＳ３５では、温排水温度を減量して温度昇華させ、設定温度まで温排水温度を上昇させる。そして、ステップＳ３６に進む。
【００６２】
ステップＳ３６では、昇温して減量した温排水の流量が、排熱ライン２０の配管としての最低流量を越えているかを確認する。最低流量以下の、例えば気泡発生等よる搬送不能な異常発生の懸念流量であれば、ステップＳ３７に進み、最低流量以上の正常流量であればステップＳ３８に進む。
ステップＳ３７では、温排水流量を修正増加させ、ステップＳ３６に戻して正常流量とするようループさせる。
ステップＳ３８では、ステップＳ３６で温水配管としての許容な最低流量をクリアした温排水温度が、エンジン１０の冷却系水温として設定されている設定温度以下にあるかを確認する。ＹＥＳでオーバーヒートの危険がない設定温度以下であれば、制御が終了であり、ＮＯであれば、ステップＳ３９に進む。
ステップＳ３９では、温排水流量を修正増加させ、ステップＳ３８に戻して設定温度以上にするようループさせる。
ステップＳ３３〜Ｓ３９が、排熱ラインの温排水流量を制御する工程である。
【００６３】
このようにして、吸収冷温水機への温排水温度を一定温度にして、温度変動のない温排水を供給して、効率の安定と、熱関係部材の耐久性向上をはかっている。
【００６４】
上記は、吸収冷温水機が複数の場合であるが、吸収冷温水機が１台の場合についても、エンジン１０の負荷に応じて温排水流量を調整制御して吸収冷温水機への温排水の温度を一定に保持する要領は、実質的に同じである。
【００６５】
図９及び図１０を参照して、本発明の第５実施形態を説明する。図１及び図２で示した使用したものと同じ形態の手段、装置は、同名称、同符号を使用して、第１実施形態と異なる部分を主体に説明する。
【００６６】
構成を示す図９において、熱を授受して熱効率の向上を図る複数の吸収冷温水機Ｒ１、Ｒ２、・・・と、温排水によって熱量を供給する温排熱供給熱源のガスエンジン１０と、ガスエンジン１０に付設された負荷計測手段の負荷センサ１２と、熱量を搬送する排熱ライン２０と、排熱ライン２０に介装された温排水循環手段のポンプＰ１０と、運転条件に応じてポンプＰ１０を制御して排熱ライン２０を循環させる温排水流量を制御する制御手段の制御装置４０Ｄと、で主要部が構成されている。
【００６７】
ガスエンジン１０、排熱ライン２０、排熱ライン２０に設けられた分岐ライン２１〜２５、吸収冷温水機Ｒ１、Ｒ２、・・・、の各装置の形態は、図１の第１実施形態と同じである。
【００６８】
負荷センサ１２は、エンジン１０に付設されて、エンジン１０の出力でもある負荷を検出する機能を有し、信号線Ｌ８２によって制御装置４０Ｄに連通されている。
ポンプ１０は、排熱ライン２０の吸入口１０ｉの近傍に介装され、信号線Ｌ８４によって制御装置４０Ｄに連通されている。
分岐ライン２１〜２５に設けられた開閉手段の開閉弁Ｖ１、Ｖ２、・・・及び３方弁３Ｖ１、３Ｖ２、・・・及び吸収冷温水機Ｒ１、Ｒ２・・・に設けられたセンサｍ１、ｍ２、・・・は、図１の第１実施形態と同様である。
【００６９】
制御装置４０Ｄは、信号線Ｌ８４によって温排水循環用手段のポンプＰ１０に連通し、負荷センサ１２によるエンジン負荷に応じて温排水流量を増減調整して吸収冷温水機に供給する温排水温度をあらかじめ設定された温度にするように、排水流量を制御する機能を有して構成されている。また、エンジン１０の吸入口１０ｉにおける吸入温排水温度が、設定温度内となるように制御する機能を有している。
【００７０】
上記以外の構成は、実質的に図１と同様である。
【００７１】
上記構成の空調装置の作用を、図１０に示すフローチャートによって説明する。
ステップＳ４１では、負荷センサ１２によりエンジン１０の負荷を計測する。このステップが、負荷を計測する工程である。
また、この時の吸収冷温水機Ｒ１、Ｒ２、・・・（以降、Ｒで総称する。）への温排水流量を計測する。温排水流量の計測は、ポンプ１０の吐出量でもよい。ステップＳ４２では、この温排水流量を、エンジン１０の負荷に対応して稼動する吸収冷温水機に通じる温排水温度を適正な温度とするよう予め設定された流量と比較確認する。
【００７２】
温排水流量が設定流量と同じあれば（ステップＳ４２がＹＥＳ）、制御は終了でそのまま運転を継続し、温排水流量が設定流量から乖離していれば（ステップＳ４２がＮＯ）、ステップＳ４３に進む。
ステップＳ４３では、温排水流量が設定流量以上か、以下かを判定する。設定流量以下の少量であれば、ステップＳ４４に進み、設定流量以上の多量であれば、ステップＳ４５に進み、
ステップＳ４４では、温排水流量を増量して温度稀釈させ、温排水温度を低下させる。そして、制御を完了させる。
ステップＳ４５では、温排水流量を減量して温度拡散させ、温排水温度を上昇させる。そして、ステップＳ４６に進む。
【００７３】
ステップＳ４６では、昇温して減量した温排水の流量が、排熱ライン２０の配管としての最低流量を越えているかを確認する。最低流量以下の、例えば気泡発生等よる搬送不能な異常発生の懸念流量であれば、ステップＳ４７に、最低流量以上の正常流量であればステップＳ４８に進む。
ステップＳ４７では、温排水流量を修正増加させ、ステップＳ４６に戻して正常流量とするようループさせる。
ステップＳ４８では、ステップＳ４６で温水配管としての許容な最低流量をクリアした温排水流量が、エンジン１０の冷却系水流量として設定されている冷却設定水量以下にあるかを確認する。ＹＥＳでオーバーヒートの危険がない設定水量以下であれば、制御が終了であり、ＮＯであれば、ステップＳ４９に進む。
ステップＳ４９では、温排水流量を修正増加させ、ステップＳ４８に戻して設定温度以下となる温排水流量にするようループさせる。
【００７４】
ステップＳ４３〜Ｓ４９が、温排水循環手段を制御して、排熱ラインを循環する温排水流量を制御する工程である。
【００７５】
上記は、吸収冷温水機が複数の場合であるが、吸収冷温水機が１台の場合についても、エンジン１０の負荷に応じて温排水流量を調整制御して吸収冷温水機への温排水の温度を一定に保持する要領は、実質的に同じである。
【００７６】
上記は、吸収冷温水機が複数の場合であるが、吸収冷温水機が１台の場合についても、エンジン１０の負荷に応じて温排水流量を調整制御して吸収冷温水機への温排水の温度を一定に保持する要領は、実質的に同じである。
【００７７】
このようにして、温排水温度をエンジン１０の負荷に対応して吸収冷温水機への一定温度にして、温度変動のない温排水を供給して、効率の安定と、熱関係部材の耐久性向上をはかっている。
【００７８】
【発明の効果】
本発明の作用効果を以下に列挙する。
（１）  停止中の吸収冷温水機への温排水分岐ラインを閉鎖して、その分の温排水を稼動中の吸収冷温水機に配分し、循環温排水の熱量をすべて有効に吸収冷温水機に供給するので、系全体としての熱効率向上がはかれる。
（２）  停止中の吸収冷温水機への温排水分岐ラインを閉鎖して稼動中の吸収冷温水機に配分させる場合に、受熱特性のよい吸収冷温水機への配分を多くする様に、あらかじめ記憶してある各吸収冷温水機の特性をアクセスして配分するようにすれば、効率のよい配分ができる。
（３）  停止した吸収冷温水機があれば、その吸収冷温水機への温排水の供給相当分の排熱ライン循環流量を減少させて、無駄な動力の削減をすれば、熱効率の向上をはかれる。
（４）温排水温度が上昇（減少）したら、温排水流量を増加（減少）させて、温排水温度を一定に保持すれば、吸収冷温水機に対する熱負荷が定常化し安定な高効率を保持でき、熱部材への熱負荷変動による耐久性劣化を防げる。
（５）温排水供給熱源（エンジン）の負荷率が変動して温排水温度が変動することを防ぐために、負荷率の変動に応じて温排水流量を調整させれば、吸収冷温水機への温排水温度を一定に保持できる。
【図面の簡単な説明】
【図１】本発明の第１実施形態を示すブロック図。
【図２】図１の実施形態の作用を示すフローチャート。
【図３】本発明の第２実施形態を示すブロック図。
【図４】図３の実施形態の作用を示すフローチャート。
【図５】本発明の第３実施形態を示すブロック図。
【図６】図５の実施形態の作用を示すフローチャート。
【図７】本発明の第４実施形態を示すブロック図。
【図８】図７の実施形態の作用を示すフローチャート。
【図９】本発明の第５実施形態を示すブロック図。
【図１０】図９の実施形態の作用を示すフローチャート。
【図１１】複数の吸収冷温水機に温排水熱量を供給する構成を具備する従来の空調装置のブロック図。
【符号の説明】
Ｌ１、Ｌ２、・・分岐ライン
Ｒ１、Ｒ２、・・吸収冷温水機
Ｖ１、Ｖ２、・・開閉弁
Ｍ２０・・記憶装置
１０・・・ガスエンジン
２０・・・排熱ライン
４０・・・制御装置
【図１】
0003900877.tif 000002
【図２】
0003900877.tif 000003
【図３】
0003900877.tif 000004
【図４】
0003900877.tif 000005
【図５】
0003900877.tif 000006
【図６】
0003900877.tif 000007
【図７】
0003900877.tif 000008
【図８】
0003900877.tif 000009
【図９】
0003900877.tif 000010
【図１０】
0003900877.tif 000011
【図１１】
0003900877.tif 000012